【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
境界を定義する複数の相互接続された線および頂点を有するクリッピングパスを取得する工程;
少なくとも1つのバリアブルデータ出版フィールドと複数の画像とを有するバリアブルデータ出版テンプレートレイアウトを作成する工程;
合成画像を生成する工程であって、前記合成画像が、前記クリッピングパスによって定義された、複数の画像の一部分を含む、工程;
データファイル、前記合成画像を含む前記バリアブルデータテンプレートレイアウト、および組版オプションから印刷ファイルを構成する工程;ならびに
前記合成画像と前記少なくとも1つのバリアブルデータ出版フィールドとを含む最終ドキュメントをレンダリングする工程
を含む、合成画像を作成するための方法。
【請求項２】
前記クリッピングパスを定義する工程
をさらに含む、請求項1記載の方法。
【請求項３】
前記クリッピングパスをライブラリに格納する工程
をさらに含む、請求項2記載の方法。
【請求項４】
前記ライブラリが広域ネットワーク上で評価可能なリモートデータベースである、請求項3記載の方法。
【請求項５】
前記クリッピングパスによって定義された前記境界が不規則な多角形を形成する、請求項1記載の方法。
【請求項６】
前記クリッピングパスによって定義された前記境界が長方形ではない多角形を形成する、請求項1記載の方法。
【請求項７】
前記クリッピングパスによって定義された前記境界が少なくとも1つのベジエ曲線を含む、請求項1記載の方法。
【請求項８】
前記バリアブルデータ出版テンプレートレイアウトが、少なくとも1つのバリアブルデータ出版フィールドを含む、請求項1記載の方法。
【請求項９】
前記印刷ファイルの構成中に、前記少なくとも1つのバリアブルデータ出版フィールドに前記データファイルからデータが読み込まれる、請求項8記載の方法。
【請求項１０】
前記複数の画像が、広域ネットワーク上で評価可能なリモート画像データベースに格納される、請求項1記載の方法。
【請求項１１】
前記クリッピングパスを定義する工程が、植字機システム上でグラフィックエディタを使用して行われる、請求項2記載の方法。
【請求項１２】
前記バリアブルデータ出版テンプレートレイアウトを作成する工程が、前記植字機システム上で前記グラフィックエディタを使用して行われる、請求項11記載の方法。
【請求項１３】
データファイル、前記合成画像を含む前記バリアブルデータテンプレートレイアウト、および組版オプションから印刷ファイルを構成する工程が、組版エンジンを使用して行われる、請求項12記載の方法。
【請求項１４】
前記データファイル、前記合成画像を含む前記バリアブルデータテンプレートレイアウト、および組版オプションを前記植字機システムから前記組版エンジンに送る工程
をさらに含む、請求項13記載の方法。
【請求項１５】
前記合成画像と前記少なくとも1つのバリアブルデータ出版フィールドとを含む最終ドキュメントをレンダリングする工程が、印刷システムを使用して印刷可能媒体に前記最終ドキュメントを印刷する工程を含む、請求項14記載の方法。
【請求項１６】
前記合成画像と前記少なくとも1つのバリアブルデータ出版フィールドとを含む最終ドキュメントをレンダリングする工程が、表示装置に前記最終ドキュメントを表示する工程を含む、請求項14記載の方法。
【請求項１７】
前記合成画像を生成する工程が、前記合成画像を平坦化することをさらに含む、請求項1記載の方法。
【請求項１８】
前記印刷ファイルが、1つまたは複数のプレラスタ化オブジェクトを含み、Java（登録商標）、C、C#、C++、スクリプト言語、PostScript、PDF、PDF/VT、PPML、XML、VPS、VDX、VIPPファイル、および他のVDP出力フォーマットの形式である、請求項1記載の方法。
【請求項１９】
ラスタ画像プロセッサを使用して前記1つまたは複数のプレラスタ化オブジェクトをラスタ化する工程
をさらに含む、請求項18記載の方法。
【請求項２０】
前記バリアブルデータ出版テンプレートレイアウトが、前記合成画像を収めるグラフィックフレームを含む、請求項1記載の方法。
【請求項２１】
境界を定義する複数の相互接続された線および頂点を有するクリッピングパスを、ライブラリから取得し、
少なくとも1つのバリアブルデータ出版フィールドと複数の画像とを有するバリアブルデータ出版テンプレートレイアウトを作成し、
前記クリッピングパスによって定義された複数の画像の一部分を含む合成画像を生成し、
データファイル、前記合成画像を含む前記バリアブルデータテンプレートレイアウト、および組版オプションから、1つまたは複数のプレラスタ化オブジェクトを含む印刷ファイルを構成する
ように構成された、組版サブシステムと、
前記1つまたは複数のプレラスタ化オブジェクトをラスタ化するように構成された、ラスタ画像プロセッサと、
前記合成画像と前記少なくとも1つのバリアブルデータ出版フィールドとを含む最終ドキュメントをレンダリングするように構成された、印刷サブシステムと
を含む、合成画像を作成するためのシステム。
【請求項２２】
前記クリッピングパスを格納するように構成されたデータベース
をさらに含む、請求項21記載のシステム。
【請求項２３】
前記組版サブシステムが前記クリッピングパスを定義するように構成される、請求項22記載のシステム。
【請求項２４】
前記データベースが広域ネットワーク上で評価可能なリモートデータベースである、請求項23記載のシステム。
【請求項２５】
クリッピングパスによって定義された前記境界が不規則な多角形を形成する、請求項21記載のシステム。
【請求項２６】
前記クリッピングパスによって定義された前記境界が長方形ではない多角形を形成する、請求項21記載のシステム。
【請求項２７】
前記クリッピングパスによって定義された前記境界が少なくとも1つのベジエ曲線を含む、請求項21記載のシステム。
【請求項２８】
前記バリアブルデータ出版テンプレートレイアウトが、少なくとも1つのバリアブルデータ出版フィールドを含む、請求項21記載のシステム。
【請求項２９】
前記印刷ファイルの構成中に、前記少なくとも1つのバリアブルデータ出版フィールドに前記データファイルからデータが読み込まれる、請求項28記載のシステム。
【請求項３０】
前記複数の画像が、広域ネットワーク上で評価可能なリモート画像データベースに格納される、請求項21記載のシステム。
【請求項３１】
前記組版サブシステムが、
植字機システムと、
組版エンジンと
をさらに含む、請求項21記載のシステム。
【請求項３２】
前記植字機システムが、前記植字機システム上でグラフィックエディタを使用して前記クリッピングパスを定義するように構成される、請求項31記載のシステム。
【請求項３３】
前記バリアブルデータ出版テンプレートレイアウトを作成することが、前記植字機システム上で前記グラフィックエディタを使用して行われる、請求項32記載のシステム。
【請求項３４】
データファイル、前記合成画像を含む前記バリアブルデータテンプレートレイアウト、および組版オプションから前記印刷ファイルを構成することが、前記組版エンジンを使用して行われる、請求項33記載のシステム。
【請求項３５】
前記植字機システムが、前記データファイル、前記合成画像を含む前記バリアブルデータテンプレートレイアウト、および組版オプションを前記組版エンジンに送るように構成される、請求項34記載のシステム。
【請求項３６】
前記合成画像と前記少なくとも1つのバリアブルデータ出版フィールドとを含む最終ドキュメントをレンダリングすることが、前記印刷システムを使用して印刷可能媒体に前記最終ドキュメントを印刷することを含む、請求項35記載のシステム。
【請求項３７】
前記合成画像と前記少なくとも1つのバリアブルデータ出版フィールドとを含む最終ドキュメントをレンダリングすることが、前記印刷サブシステムの表示装置に前記最終ドキュメントを表示することを含む、請求項35記載のシステム。
【請求項３８】
前記合成画像を生成することが、前記合成画像を平坦化することをさらに含む、請求項21記載のシステム。
【請求項３９】
前記印刷ファイルが、Java（登録商標）、C、C#、C++、スクリプト言語、PostScript、PDF、PDF/VT、PPML、XML、VPS、VDX、VIPPファイル、および他のVDP出力フォーマットの形式である、請求項21記載のシステム。
【請求項４０】
前記バリアブルデータ出版テンプレートレイアウトが、前記合成画像を収めるグラフィックフレームを含む、請求項21記載のシステム。
【請求項４１】
請求項1〜20のいずれか一項記載の方法による合成画像の作成のためのプロセッサ実行可能命令を含む、非一時的なプロセッサ可読媒体。
【手続補正２】
【補正対象書類名】明細書
【補正対象項目名】００４６
【補正方法】変更
【補正の内容】
【００４６】
[本発明1001]
境界を定義する複数の相互接続された線および頂点を有するクリッピングパスを取得する工程;
少なくとも1つのバリアブルデータ出版フィールドと複数の画像とを有するバリアブルデータ出版テンプレートレイアウトを作成する工程;
合成画像を生成する工程であって、前記合成画像が、前記クリッピングパスによって定義された、複数の画像の一部分を含む、工程;
データファイル、前記合成画像を含む前記バリアブルデータテンプレートレイアウト、および組版オプションから印刷ファイルを構成する工程;ならびに
前記合成画像と前記少なくとも1つのバリアブルデータ出版フィールドとを含む最終ドキュメントをレンダリングする工程
を含む、合成画像を作成するための方法。
[本発明1002]
前記クリッピングパスを定義する工程
をさらに含む、本発明1001の方法。
[本発明1003]
前記クリッピングパスをライブラリに格納する工程
をさらに含む、本発明1002の方法。
[本発明1004]
前記ライブラリが広域ネットワーク上で評価可能なリモートデータベースである、本発明1003の方法。
[本発明1005]
前記クリッピングパスによって定義された前記境界が不規則な多角形を形成する、本発明1001の方法。
[本発明1006]
前記クリッピングパスによって定義された前記境界が長方形ではない多角形を形成する、本発明1001の方法。
[本発明1007]
前記クリッピングパスによって定義された前記境界が少なくとも1つのベジエ曲線を含む、本発明1001の方法。
[本発明1008]
前記バリアブルデータ出版テンプレートレイアウトが、少なくとも1つのバリアブルデータ出版フィールドを含む、本発明1001の方法。
[本発明1009]
前記印刷ファイルの構成中に、前記少なくとも1つのバリアブルデータ出版フィールドに前記データファイルからデータが読み込まれる、本発明1008の方法。
[本発明1010]
前記複数の画像が、広域ネットワーク上で評価可能なリモート画像データベースに格納される、本発明1001の方法。
[本発明1011]
前記クリッピングパスを定義する工程が、植字機システム上でグラフィックエディタを使用して行われる、本発明1002の方法。
[本発明1012]
前記バリアブルデータ出版テンプレートレイアウトを作成する工程が、前記植字機システム上で前記グラフィックエディタを使用して行われる、本発明1011の方法。
[本発明1013]
データファイル、前記合成画像を含む前記バリアブルデータテンプレートレイアウト、および組版オプションから印刷ファイルを構成する工程が、組版エンジンを使用して行われる、本発明1012の方法。
[本発明1014]
前記データファイル、前記合成画像を含む前記バリアブルデータテンプレートレイアウト、および組版オプションを前記植字機システムから前記組版エンジンに送る工程
をさらに含む、本発明1013の方法。
[本発明1015]
前記合成画像と前記少なくとも1つのバリアブルデータ出版フィールドとを含む最終ドキュメントをレンダリングする工程が、印刷システムを使用して印刷可能媒体に前記最終ドキュメントを印刷する工程を含む、本発明1014の方法。
[本発明1016]
前記合成画像と前記少なくとも1つのバリアブルデータ出版フィールドとを含む最終ドキュメントをレンダリングする工程が、表示装置に前記最終ドキュメントを表示する工程を含む、本発明1014の方法。
[本発明1017]
前記合成画像を生成する工程が、前記合成画像を平坦化することをさらに含む、本発明1001の方法。
[本発明1018]
前記印刷ファイルが、1つまたは複数のプレラスタ化オブジェクトを含み、Java（登録商標）、C、C#、C++、スクリプト言語、PostScript、PDF、PDF/VT、PPML、XML、VPS、VDX、VIPPファイル、および他のVDP出力フォーマットの形式である、本発明1001の方法。
[本発明1019]
ラスタ画像プロセッサを使用して前記1つまたは複数のプレラスタ化オブジェクトをラスタ化する工程
をさらに含む、本発明1018の方法。
[本発明1020]
前記バリアブルデータ出版テンプレートレイアウトが、前記合成画像を収めるグラフィックフレームを含む、本発明1001の方法。
[本発明1021]
データベースに格納されている複数の画像を選択する工程;
グラフィックエディタにおいて前記複数の画像を重ね合わせる工程であって、前記複数の画像の第1の部分が前記複数の画像の第2の部分と重なる、工程;
境界を定義する複数の相互接続された線および頂点を有するクリッピングパスを、ライブラリから取得する工程;
前記グラフィックエディタにおいて前記クリッピングパスと前記複数の画像とを位置合わせする工程;ならびに
前記グラフィックエディタにおいて合成画像を生成する工程であって、前記合成画像が前記複数の画像の少なくとも前記第1の部分と前記複数の画像の少なくとも前記第2の部分との組み合わせを含み、前記合成画像が前記クリッピングパスによって定義された少なくとも1つの境界を有する、工程
を含む、合成画像を作成するための方法。
[本発明1022]
前記クリッピングパスを前記ライブラリに格納する工程
をさらに含む、本発明1021の方法。
[本発明1023]
前記ライブラリから取得された前記クリッピングパスを調整する工程
をさらに含む、本発明1021の方法。
[本発明1024]
前記ライブラリが広域ネットワーク上で評価可能なリモートデータベースである、本発明1023の方法。
[本発明1025]
クリッピングパスによって定義された前記境界が不規則な多角形を形成する、本発明1021の方法。
[本発明1026]
前記クリッピングパスによって定義された前記境界が長方形ではない多角形を形成する、本発明1021の方法。
[本発明1027]
前記クリッピングパスによって定義された前記境界が少なくとも1つのベジエ曲線を含む、本発明1021の方法。
[本発明1028]
少なくとも1つのバリアブルデータ出版フィールドとグラフィックフレームとを有するバリアブルデータ出版テンプレートレイアウトを作成する工程
をさらに含み、
前記グラフィックエディタにおいて前記複数の画像を重ね合わせる工程が、前記グラフィックエディタにおいて前記グラフィックフレーム内で前記複数の画像を重ね合わせる工程を含む、
本発明1021の方法。
[本発明1029]
データファイル、前記合成画像を含む前記バリアブルデータテンプレートレイアウト、および組版オプションから印刷ファイルを構成する工程
をさらに含む、本発明1028の方法。
[本発明1030]
前記印刷ファイルの構成中に、前記少なくとも1つのバリアブルデータ出版フィールドに前記データファイルからデータが読み込まれる、本発明1029の方法。
[本発明1031]
データファイル、前記合成画像を含む前記バリアブルデータテンプレートレイアウト、および組版オプションから印刷ファイルを構成する工程が、組版エンジンを使用して行われる、本発明1030の方法。
[本発明1032]
前記グラフィックエディタが植字機システムのメモリにロードされる、本発明1030の方法。
[本発明1033]
前記データファイル、前記合成画像を含む前記バリアブルデータテンプレートレイアウト、および前記組版オプションを前記植字機システムから前記組版エンジンに送る工程
をさらに含む、本発明1032の方法。
[本発明1034]
前記合成画像と少なくとも1つのバリアブルデータ出版フィールドとを含む最終ドキュメントをレンダリングする工程が、印刷システムを使用して印刷可能媒体に前記最終ドキュメントを印刷する工程を含むこと
をさらに含む、本発明1028の方法。
[本発明1035]
前記合成画像と少なくとも1つのバリアブルデータ出版フィールドとを含む最終ドキュメントをレンダリングする工程が、表示装置に前記最終ドキュメントを表示する工程を含むこと
をさらに含む、本発明1028の方法。
[本発明1036]
前記印刷ファイルが、1つまたは複数のプレラスタ化オブジェクトを含み、Java（登録商標）、C、C#、C++、スクリプト言語、PostScript、PDF、PDF/VT、PPML、XML、VPS、VDX、VIPPファイル、および他のVDP出力フォーマットの形式である、本発明1029の方法。
[本発明1037]
ラスタ画像プロセッサを使用して前記1つまたは複数のプレラスタ化オブジェクトをラスタ化する工程
をさらに含む、本発明1036の方法。
[本発明1038]
前記データベースに格納されている前記複数の画像が、広域ネットワーク上で評価可能なリモート画像データベースに格納されている、本発明1021の方法。
[本発明1039]
前記グラフィックエディタが組版システムのメモリにロードされる、本発明1021の方法。
[本発明1040]
前記グラフィックエディタにおいて前記合成画像を生成する工程が、前記合成画像を平坦化することをさらに含む、本発明1021の方法。
[本発明1041]
グラフィックエディタを組版システムのメモリにロードする工程;
前記組版システムの前記メモリにロードされた前記グラフィックエディタを使用して、境界を定義する複数の相互接続された線および頂点を有する、グラフィックフレームのクリッピングパスを取得する工程;
前記グラフィックフレーム内で複数の画像を重ね合わせるための順序を含む、前記グラフィックフレームのクリッピング情報を指定する工程;
組版用のバリアブルデータ出版データのデータベースを提供する工程;
前記データベースから前記複数の画像を取得し、前記クリッピング情報によって指定された前記順序で前記複数の画像を重ね合わせることによって、前記グラフィックフレーム内で前記複数の画像をマージする工程;
前記グラフィックフレームの前記クリッピングパスに基づいて前記グラフィックフレーム内の前記複数の画像を切り取る工程;ならびに
合成画像を生成する工程であって、前記合成画像が、前記クリッピングパスによって部分的に定義された、複数の画像の一部分を含む、工程
を含む、合成画像を作成するための方法。
[本発明1042]
前記クリッピングパスを定義する工程;および
前記クリッピングパスをライブラリに格納する工程
をさらに含む、本発明1041の方法。
[本発明1043]
組版用のバリアブルデータ出版データの前記データベースが、組版用のバリアブルデータ出版データの第1のデータベースであり、前記方法が、
組版用のバリアブルデータ出版データの第2のデータベースを提供する工程
をさらに含む、本発明1042の方法。
[本発明1044]
前記データベースから前記複数の画像を取得することによって前記グラフィックフレーム内で前記複数の画像をマージする工程が、前記第1のデータベースおよび前記第2のデータベースからのグラフィックを前記グラフィックフレームにマージする工程を含む、本発明1043の方法。
[本発明1045]
グラフィックフレームの前記クリッピング情報に基づいて各グラフィックフレームのクリッピングパスを選択する工程
をさらに含む、本発明1042の方法。
[本発明1046]
グラフィックフレームの前記クリッピング情報に基づいて各グラフィックフレームのクリッピングパスを選択する工程が、前記ライブラリからどのクリッピングパスを選択すべきかを指示するスクリプトを実行する工程を含む、本発明1045の方法。
[本発明1047]
前記ライブラリからどのクリッピングパスを選択すべきかを指示するスクリプトを実行する工程が、前記クリッピングパスを選択するために複数のバリアブルデータ出版データを分析する工程を含む、本発明1046の方法。
[本発明1048]
前記クリッピングパスがバリアブルデータ出版フィールドである、本発明1047の方法。
[本発明1049]
組版用のバリアブルデータ出版データのデータベースを提供する工程が、前記複数の画像を提供する工程を含む、本発明1041の方法。
[本発明1050]
組版用のバリアブルデータ出版データのデータベースを提供する工程が、リモートデータベースへのリンクを指定する工程を含む、本発明1041の方法。
[本発明1051]
ライブラリから取得された前記クリッピングパスを調整する工程
をさらに含む、本発明1041の方法。
[本発明1052]
前記ライブラリが広域ネットワーク上で評価可能なリモートデータベースである、本発明1051の方法。
[本発明1053]
クリッピングパスによって定義された前記境界が不規則な多角形を形成する、本発明1041の方法。
[本発明1054]
前記クリッピングパスによって定義された前記境界が長方形ではない多角形を形成する、本発明1041の方法。
[本発明1055]
前記クリッピングパスによって定義された前記境界が少なくとも1つのベジエ曲線を含む、本発明1041の方法。
[本発明1056]
組版用のバリアブルデータ出版データの前記データベースが、広域ネットワーク上で評価可能なリモート画像データベースである、本発明1041の方法。
[本発明1057]
組版システムが植字機システムを含み、前記グラフィックエディタが前記植字機システムのメモリにロードされる、本発明1041の方法。
[本発明1058]
少なくとも1つのバリアブルデータ出版フィールドと前記グラフィックフレームとを有するバリアブルデータ出版テンプレートレイアウトを作成する工程
をさらに含み、
前記クリッピング情報によって指定された前記順序で前記複数の画像を重ね合わせることが、前記グラフィックエディタにおいて前記グラフィックフレーム内で前記複数の画像を重ね合わせることを含む、
本発明1057の方法。
[本発明1059]
データファイル、前記合成画像を含む前記バリアブルデータテンプレートレイアウト、および組版オプションから印刷ファイルを構成する工程
をさらに含む、本発明1058の方法。
[本発明1060]
前記印刷ファイルの構成中に、前記少なくとも1つのバリアブルデータ出版フィールドに前記データファイルからデータが読み込まれる、本発明1059の方法。
[本発明1061]
データファイル、前記合成画像を含む前記バリアブルデータテンプレートレイアウト、および組版オプションから印刷ファイルを構成する工程が、組版エンジンを使用して行われる、本発明1060の方法。
[本発明1062]
前記印刷ファイルが、1つまたは複数のプレラスタ化オブジェクトを含み、Java（登録商標）、C、C#、C++、スクリプト言語、PostScript、PDF、PDF/VT、PPML、XML、VPS、VDX、VIPPファイル、および他のVDP出力フォーマットの形式である、本発明1061の方法。
[本発明1063]
ラスタ画像プロセッサを使用して前記1つまたは複数のプレラスタ化オブジェクトをラスタ化する工程
をさらに含む、本発明1062の方法。
[本発明1064]
前記データファイル、前記合成画像を含む前記バリアブルデータテンプレートレイアウト、および前記組版オプションを植字機システムから前記組版エンジンに送る工程
をさらに含む、本発明1061の方法。
[本発明1065]
前記合成画像と少なくとも1つのバリアブルデータ出版フィールドとを含む最終ドキュメントをレンダリングする工程が、印刷システムを使用して印刷可能媒体に前記最終ドキュメントを印刷する工程を含むこと
をさらに含む、本発明1041の方法。
[本発明1066]
前記合成画像と少なくとも1つのバリアブルデータ出版フィールドとを含む最終ドキュメントをレンダリングする工程が、表示装置に前記最終ドキュメントを表示する工程を含むこと
をさらに含む、本発明1041の方法。
[本発明1067]
前記グラフィックエディタにおいて前記合成画像を生成する工程が、前記合成画像を平坦化することをさらに含む、本発明1041の方法。
[本発明1068]
境界を定義する複数の相互接続された線および頂点を有するクリッピングパスを、ライブラリから取得し、
少なくとも1つのバリアブルデータ出版フィールドと複数の画像とを有するバリアブルデータ出版テンプレートレイアウトを作成し、
前記クリッピングパスによって定義された複数の画像の一部分を含む合成画像を生成し、
データファイル、前記合成画像を含む前記バリアブルデータテンプレートレイアウト、および組版オプションから、1つまたは複数のプレラスタ化オブジェクトを含む印刷ファイルを構成する
ように構成された、組版サブシステムと、
前記1つまたは複数のプレラスタ化オブジェクトをラスタ化するように構成された、ラスタ画像プロセッサと、
前記合成画像と前記少なくとも1つのバリアブルデータ出版フィールドとを含む最終ドキュメントをレンダリングするように構成された、印刷サブシステムと
を含む、合成画像を作成するためのシステム。
[本発明1069]
前記クリッピングパスを格納するように構成されたデータベース
をさらに含む、本発明1068のシステム。
[本発明1070]
前記組版サブシステムが前記クリッピングパスを定義するように構成される、本発明1069のシステム。
[本発明1071]
前記データベースが広域ネットワーク上で評価可能なリモートデータベースである、本発明1070のシステム。
[本発明1072]
クリッピングパスによって定義された前記境界が不規則な多角形を形成する、本発明1068のシステム。
[本発明1073]
前記クリッピングパスによって定義された前記境界が長方形ではない多角形を形成する、本発明1068のシステム。
[本発明1074]
前記クリッピングパスによって定義された前記境界が少なくとも1つのベジエ曲線を含む、本発明1068のシステム。
[本発明1075]
前記バリアブルデータ出版テンプレートレイアウトが、少なくとも1つのバリアブルデータ出版フィールドを含む、本発明1068のシステム。
[本発明1076]
前記印刷ファイルの構成中に、前記少なくとも1つのバリアブルデータ出版フィールドに前記データファイルからデータが読み込まれる、本発明1075のシステム。
[本発明1077]
前記複数の画像が、広域ネットワーク上で評価可能なリモート画像データベースに格納される、本発明1068のシステム。
[本発明1078]
前記組版サブシステムが、
植字機システムと、
組版エンジンと
をさらに含む、本発明1068のシステム。
[本発明1079]
前記植字機システムが、前記植字機システム上でグラフィックエディタを使用して前記クリッピングパスを定義するように構成される、本発明1078のシステム。
[本発明1080]
前記バリアブルデータ出版テンプレートレイアウトを作成することが、前記植字機システム上で前記グラフィックエディタを使用して行われる、本発明1079のシステム。
[本発明1081]
データファイル、前記合成画像を含む前記バリアブルデータテンプレートレイアウト、および組版オプションから前記印刷ファイルを構成することが、前記組版エンジンを使用して行われる、本発明1080のシステム。
[本発明1082]
前記植字機システムが、前記データファイル、前記合成画像を含む前記バリアブルデータテンプレートレイアウト、および組版オプションを前記組版エンジンに送るように構成される、本発明1081のシステム。
[本発明1083]
前記合成画像と前記少なくとも1つのバリアブルデータ出版フィールドとを含む最終ドキュメントをレンダリングすることが、前記印刷システムを使用して印刷可能媒体に前記最終ドキュメントを印刷することを含む、本発明1082のシステム。
[本発明1084]
前記合成画像と前記少なくとも1つのバリアブルデータ出版フィールドとを含む最終ドキュメントをレンダリングすることが、前記印刷サブシステムの表示装置に前記最終ドキュメントを表示することを含む、本発明1082のシステム。
[本発明1085]
前記合成画像を生成することが、前記合成画像を平坦化することをさらに含む、本発明1068のシステム。
[本発明1086]
前記印刷ファイルが、Java（登録商標）、C、C#、C++、スクリプト言語、PostScript、PDF、PDF/VT、PPML、XML、VPS、VDX、VIPPファイル、および他のVDP出力フォーマットの形式である、本発明1068のシステム。
[本発明1087]
前記バリアブルデータ出版テンプレートレイアウトが、前記合成画像を収めるグラフィックフレームを含む、本発明1068のシステム。
[本発明1088]
データベースに格納されている複数の画像を選択し、
グラフィックエディタにおいて前記複数の画像を重ね合わせ、ここで、前記複数の画像の第1の部分が前記複数の画像の第2の部分と重なり、
境界を定義する複数の相互接続された線および頂点を有するクリッピングパスを取得し、
前記グラフィックエディタにおいて前記クリッピングパスと前記複数の画像とを位置合わせし、
前記グラフィックエディタにおいて合成画像を生成し、ここで、前記合成画像が前記複数の画像の少なくとも前記第1の部分と前記複数の画像の少なくとも前記第2の部分との組み合わせを含み、前記合成画像が前記クリッピングパスによって定義された少なくとも1つの境界を有する
ように構成された、組版サブシステム
を含む、合成画像を作成するためのシステム。
[本発明1089]
前記クリッピングパスを格納するように構成されたデータベース
をさらに含む、本発明1088のシステム。
[本発明1090]
前記組版サブシステムが、前記データベースから前記クリッピングパスを取得するように構成される、本発明1088のシステム。
[本発明1091]
前記データベースが広域ネットワーク上で評価可能なリモートデータベースである、本発明1090のシステム。
[本発明1092]
クリッピングパスによって定義された前記境界が不規則な多角形を形成する、本発明1088のシステム。
[本発明1093]
前記クリッピングパスによって定義された前記境界が長方形ではない多角形を形成する、本発明1088のシステム。
[本発明1094]
前記クリッピングパスによって定義された前記境界が少なくとも1つのベジエ曲線を含む、本発明1088のシステム。
[本発明1095]
前記組版サブシステムが、少なくとも1つのバリアブルデータ出版フィールドとグラフィックフレームとを有するバリアブルデータ出版テンプレートレイアウトを作成するようにさらに構成され、
グラフィックエディタにおいて前記複数の画像を重ね合わせることが、前記グラフィックエディタにおいて前記グラフィックフレーム内で前記複数の画像を重ね合わせることを含む、
本発明1088のシステム。
[本発明1096]
前記組版サブシステムが、データファイル、前記合成画像を含む前記バリアブルデータテンプレートレイアウト、および組版オプションから印刷ファイルを構成するようにさらに構成される、本発明1088のシステム。
[本発明1097]
前記印刷ファイルの構成中に、前記少なくとも1つのバリアブルデータ出版フィールドに前記データファイルからデータが読み込まれる、本発明1096のシステム。
[本発明1098]
前記組版サブシステムが、
植字機システムと、
前記データファイル、前記合成画像を含む前記バリアブルデータテンプレートレイアウト、および前記組版オプションから前記印刷ファイルを構成するように構成された、組版エンジンと
をさらに含む、本発明1096のシステム。
[本発明1099]
前記グラフィックエディタが前記植字機システムのメモリにロードされる、本発明1098のシステム。
[本発明1100]
前記組版サブシステムが、前記データファイル、前記合成画像を含む前記バリアブルデータテンプレートレイアウト、および前記組版オプションを前記植字機システムから前記組版エンジンに送るようにさらに構成される、本発明1098のシステム。
[本発明1101]
前記合成画像と少なくとも1つのバリアブルデータ出版フィールドとを含む最終ドキュメントをレンダリングすることが、印刷可能媒体に前記最終ドキュメントを印刷することを含む
ように構成された、印刷システム
をさらに含む、本発明1098のシステム。
[本発明1102]
前記合成画像と少なくとも1つのバリアブルデータ出版フィールドとを含む最終ドキュメントをレンダリングすることが、前記最終ドキュメントを表示することを含む
ように構成された、表示装置
をさらに含む、本発明1098のシステム。
[本発明1103]
1つまたは複数のプレラスタ化オブジェクトをラスタ化するように構成された、ラスタ画像プロセッサ
をさらに含む、本発明1098のシステム。
[本発明1103]
前記印刷ファイルが前記1つまたは複数のプレラスタ化オブジェクトを含み、前記印刷ファイルが、Java（登録商標）、C、C#、C++、スクリプト言語、PostScript、PDF、PDF/VT、PPML、XML、VPS、VDX、VIPPファイル、および他のVDP出力フォーマットの形式である、本発明1103のシステム。
[本発明1104]
前記データベースに格納されている前記複数の画像が、広域ネットワーク上で評価可能なリモート画像データベースに格納されている、本発明1098のシステム。
[本発明1105]
前記グラフィックエディタが前記組版サブシステムのメモリにロードされる、本発明1098のシステム。
[本発明1106]
前記グラフィックエディタにおいて前記合成画像を生成することが、前記合成画像を平坦化することをさらに含む、本発明1098のシステム。
[本発明1107]
組版用のバリアブルデータ出版データを提供するように構成された、データベースと、
グラフィックエディタを組版サブシステムのメモリにロードし、
前記組版サブシステムの前記メモリにロードされた前記グラフィックエディタを使用して、境界を定義する複数の相互接続された線および頂点を有する、グラフィックフレームのクリッピングパスを取得し、
前記グラフィックフレーム内で複数の画像を重ね合わせるための順序を含む、前記グラフィックフレームのクリッピング情報を指定し、
前記データベースから前記複数の画像を取得し、前記クリッピング情報によって指定された前記順序で前記複数の画像を重ね合わせることによって、前記グラフィックフレーム内で前記複数の画像をマージし、
前記グラフィックフレームの前記クリッピングパスに基づいて前記グラフィックフレーム内の前記複数の画像を切り取り、
前記クリッピングパスによって部分的に定義された複数の画像の一部分を含む合成画像を生成する
ように構成された、組版サブシステムと
を含む、合成画像を作成するためのシステム。
[本発明1108]
組版用のバリアブルデータ出版データの前記データベースが、組版用のバリアブルデータ出版データの第1のデータベースであり、前記システムが、
組版用のバリアブルデータ出版データの組版用のバリアブルデータ出版データを提供するように構成された、第2のデータベース
をさらに含む、本発明1107のシステム。
[本発明1109]
前記データベースから前記複数の画像を取得することによって前記グラフィックフレーム内で前記複数の画像をマージすることが、前記第1のデータベースおよび前記第2のデータベースからのグラフィックを前記グラフィックフレームにマージすることを含む、本発明1108のシステム。
[本発明1110]
前記組版サブシステムが、グラフィックフレームの前記クリッピング情報に基づいて各グラフィックフレームのクリッピングパスを選択するように構成される、本発明1107のシステム。
[本発明1111]
グラフィックフレームの前記クリッピング情報に基づいて各グラフィックフレームのクリッピングパスを選択することが、ライブラリからどのクリッピングパスを選択すべきかを指示するスクリプトを実行することを含む、本発明1110のシステム。
[本発明1112]
ライブラリからどのクリッピングパスを選択すべきかを指示するスクリプトを実行することが、前記クリッピングパスを選択するために複数のバリアブルデータ出版データを分析することを含む、本発明1111のシステム。
[本発明1113]
前記クリッピングパスがバリアブルデータ出版フィールドである、本発明1112のシステム。
[本発明1114]
組版用のバリアブルデータ出版データの前記データベースを提供することが、前記複数の画像を提供することを含む、本発明1111のシステム。
[本発明1113]
組版用のバリアブルデータ出版データの前記データベースを提供することが、リモートデータベースへのリンクを指定することを含む、本発明1111のシステム。
[本発明1114]
前記組版サブシステムが、前記ライブラリから取得された前記クリッピングパスを調整するように構成される、本発明1111のシステム。
[本発明1115]
前記ライブラリが広域ネットワーク上で評価可能なリモートデータベースである、本発明1111のシステム。
[本発明1116]
クリッピングパスによって定義された前記境界が不規則な多角形を形成する、本発明1107のシステム。
[本発明1117]
前記クリッピングパスによって定義された前記境界が長方形ではない多角形を形成する、本発明1107のシステム。
[本発明1118]
前記クリッピングパスによって定義された前記境界が少なくとも1つのベジエ曲線を含む、本発明1107のシステム。
[本発明1119]
組版用のバリアブルデータ出版データの前記データベースが、広域ネットワーク上で評価可能なリモート画像データベースである、本発明1107のシステム。
[本発明1120]
前記組版サブシステムが、
植字機システムと、
組版エンジンと
をさらに含む、本発明1107のシステム。
[本発明1121]
前記グラフィックエディタが植字機システムのメモリにロードされる、本発明1120のシステム。
[本発明1122]
前記組版サブシステムが、少なくとも1つのバリアブルデータ出版フィールドと前記グラフィックフレームとを有するバリアブルデータ出版テンプレートレイアウトを作成するように構成され、
前記クリッピング情報によって指定された前記順序で前記複数の画像を重ね合わせることが、前記グラフィックエディタにおいて前記グラフィックフレーム内で前記複数の画像を重ね合わせることを含む、
本発明1120のシステム。
[本発明1123]
前記組版サブシステムが、データファイル、前記合成画像を含む前記バリアブルデータテンプレートレイアウト、および組版オプションから印刷ファイルを構成するように構成される、本発明1120のシステム。
[本発明1124]
前記印刷ファイルの構成中に、前記少なくとも1つのバリアブルデータ出版フィールドに前記データファイルからデータが読み込まれる、本発明1120のシステム。
[本発明1125]
データファイル、前記合成画像を含む前記バリアブルデータテンプレートレイアウト、および組版オプションから印刷ファイルを構成することが、組版エンジンを使用して行われる、本発明1120のシステム。
[本発明1126]
1つまたは複数のプレラスタ化オブジェクトをラスタ化するように構成された、ラスタ画像プロセッサ
をさらに含む、本発明1120のシステム。
[本発明1127]
前記印刷ファイルが前記1つまたは複数のプレラスタ化オブジェクトを含み、前記印刷ファイルが、Java（登録商標）、C、C#、C++、スクリプト言語、PostScript、PDF、PDF/VT、PPML、XML、VPS、VDX、VIPPファイル、および他のVDP出力フォーマットの形式である、本発明1126のシステム。
[本発明1128]
前記植字機システムが、前記データファイル、前記合成画像を含む前記バリアブルデータテンプレートレイアウト、および前記組版オプションを前記組版エンジンに送るように構成される、本発明1120のシステム。
[本発明1129]
前記合成画像と少なくとも1つのバリアブルデータ出版フィールドとを含む最終ドキュメントをレンダリングすることが、印刷可能媒体に前記最終ドキュメントを印刷することを含む
ように構成された、印刷システム
をさらに含む、本発明1120のシステム。
[本発明1130]
前記合成画像と少なくとも1つのバリアブルデータ出版フィールドとを含む最終ドキュメントをレンダリングすることが、前記最終ドキュメントを表示することを含む
ように構成された、表示装置
をさらに含む、本発明1120のシステム。
[本発明1131]
前記グラフィックエディタにおいて前記合成画像を生成することが、前記合成画像を平坦化することをさらに含む、本発明1120のシステム。
[本発明1132]
グラフィックエディタを組版サブシステムのメモリにロードする工程;
前記組版サブシステムの前記メモリにロードされた前記グラフィックエディタを使用して、境界を定義する複数の相互接続された線および頂点を有する、グラフィックフレームのクリッピングパスを、ライブラリから取得する工程;
前記グラフィックフレーム内で複数の画像を重ね合わせるための順序を含む、前記グラフィックフレームのクリッピング情報を指定する工程;
前記データベースから前記複数の画像を取得し、前記クリッピング情報によって指定された前記順序で前記複数の画像を重ね合わせることによって、前記グラフィックフレーム内で前記複数の画像をマージする工程;
前記グラフィックフレームの前記クリッピングパスに基づいて前記グラフィックフレーム内の前記複数の画像を切り取る工程;ならびに
合成画像を生成する工程であって、前記合成画像が、前記クリッピングパスによって部分的に定義された、複数の画像の一部分を含む、工程
を含む合成画像の作成のためのプロセッサ実行可能命令を含む、非一時的なプロセッサ可読媒体。
[本発明1133]
本発明1001〜1067のいずれかの方法による合成画像の作成のためのプロセッサ実行可能命令を含む、非一時的なプロセッサ可読媒体。
本開示のさらに別の局面を、図面と併せて以下でさらに説明する。前述の概念および以下により詳細に論じられる追加の概念のすべての組み合わせは（そのような概念が相互に矛盾しないならば）本明細書に開示される本発明の主題の一部であることが企図されていることを理解されたい。特に、本開示の最後に記載されている特許請求される主題のすべての組み合わせは、本明細書で開示される本発明の主題の一部であることが企図されている。また、参照により組み入れられる任意の開示にも記載されている可能性がある本明細書で明示的に用いられる用語には、本明細書で開示される特定の概念と最も整合する意味が与えられることも理解されたい。